(57)【要約】【課題】待機状態において消費する電力の増加を抑制すると共に読取原稿の大きさを検知して早期に待機状態から復帰できる画像取得装置及び画像取得プログラムを提供する。【解決手段】原稿の大きさを検知する検知手段と、検知手段が検知した大きさの原稿を表す原稿画像を取得する画像取得手段と、検知手段及び画像取得手段へ供給する電力を管理する電源管理手段と、画像取得手段が原稿画像を取得した後の経過時間に基づいて画像取得手段への電源の供給を停止すると共に、検知手段への電源の供給を継続するよう電源管理手段を制御した後に、検知手段が検知した原稿の大きさが変化すると、画像取得手段への電源の供給を開始するよう電源管理手段を制御する制御手段とを備える。これによれば、画像取得手段への電源供給を停止して待機する待機状態において原稿の大きさを検知して早期に待機状態から復帰できる。【選択図】図４
2010124372.tif 000002
【特許請求の範囲】
【請求項１】
原稿の大きさを検知する検知手段と、
前記検知手段が検知した大きさの前記原稿を表す原稿画像を取得する画像取得手段と、
前記検知手段及び前記画像取得手段へ供給する電力を管理する電源管理手段と、
前記画像取得手段が原稿画像を取得した後の経過時間に基づいて前記画像取得手段への電源の供給を停止すると共に、前記検知手段への電源の供給を継続するよう前記管理電源手段を制御した後に、前記検知手段が検知した原稿の大きさが変化すると、前記画像取得手段への電源の供給を開始するよう前記電源管理手段を制御する制御手段とを備えることを特徴とする画像取得装置。
【請求項２】
前記画像取得手段は、前記原稿を光学的に読み取ると共に、読み取った前記原稿を表す原稿画像を取得し、
前記検知手段は、前記原稿へ光を照射すると共に、前記原稿が反射する光に基づいて前記原稿の大きさを検知し、
前記画像取得手段が光学的に読み取る原稿を、光を反射する反射面で覆う覆蓋手段と、
前記覆蓋手段が開閉した開閉角度を検出する角度検出手段とを更に備え、
前記制御手段は、前記角度検出手段が検出した開閉角度に基づいて前記覆蓋手段が開いて前記原稿を覆っていないと判断する場合に、前記検知手段が検知した原稿の大きさが変化すると、電源の供給が停止された前記画像取得手段に対して電源の供給を開始するよう前記電源管理手段を制御することを特徴とする請求項１に記載の画像取得装置。
【請求項３】
前記検知手段は、予め定められた範囲に属する原稿の大きさを検知し、
前記制御手段は、前記画像取得手段へ電源の供給を停止するよう前記管理電源手段を制御した後であって、前記検知手段が原稿の大きさを検知する前に前記角度検出手段が検出した開閉角度が変化すると、前記画像取得手段への電源の供給を開始するよう前記電源管理手段を制御すると共に、前記範囲に属さない予め定められた大きさの原稿画像を取得するよう前記画像取得手段を制御することを特徴とする請求項２に記載の画像取得装置。
【請求項４】
前記原稿の大きさを入力する入力手段を更に備え、
前記制御手段は、前記画像取得手段へ電源の供給を停止するよう前記管理電源手段を制御した後であって、前記検知手段が原稿の大きさを検知する前に前記角度検出手段が検出した開閉角度が変化すると、前記画像取得手段への電源の供給を開始するよう前記電源管理手段を制御すると共に、前記入力手段が入力した大きさの原稿画像を取得するよう前記画像取得手段を制御することを特徴とする請求項２に記載の画像取得装置。
【請求項５】
前記入力手段の操作を促す通知をする通知手段を更に備え、
前記制御手段は、前記画像取得手段へ電源の供給を停止するよう前記電源管理手段を制御した後であって、前記検知手段が原稿の大きさを検知する前に前記角度検出手段が検出した開閉角度が変化すると、前記原稿の大きさを検知できない旨の通知、及び前記原稿の大きさを入力するよう前記入力手段を操作することを促す旨の通知のいずれか１つ以上をするよう前記通知手段を制御することを特徴とする請求項４に記載の画像取得装置。
【請求項６】
前記検知手段は、第１の方向における前記原稿の第１の大きさを検知し、
前記画像取得手段は、前記第１の方向と平行ではない第２の方向における前記原稿の部分を表す部分画像を取得し、
前記制御手段は、前記検知手段が検知した第１の大きさが変化した後に電源が供給された前記画像取得手段の取得した部分画像に基づいて、第２の方向にわたる原稿の大きさを検知すると共に、検知した第２の大きさと、前記検知手段が検知した第１の大きさとを有する原稿画像を取得するよう前記画像取得手段を制御することを特徴とする請求項１から５のいずれかに記載の画像取得装置。
【請求項７】
コンピュータを、
原稿の大きさを検知する検知手段から、前記原稿の大きさを表す信号を取得すると共に、前記検知手段が検知した大きさの前記原稿を表す原稿画像を取得する画像取得手段から、前記原稿画像を表す信号を取得する信号取得手段と、
前記検知手段及び前記画像取得手段へ供給する電力を管理する電源管理手段を制御する制御手段として機能させ、
前記制御手段は、前記信号取得手段が前記画像取得手段から原稿画像を表す信号を取得した後の経過時間に基づいて前記画像取得手段への電源の供給を停止すると共に、前記検知手段への電源の供給を継続するよう前記電源管理手段を制御した後に、前記信号取得手段が前記検知手段から取得した信号の表す原稿の大きさが変化すると、前記画像取得手段への電源の供給を開始するよう前記電源管理手段を制御することを特徴とする画像取得プログラム。
【発明の詳細な説明】
【技術分野】
【０００１】
本発明は、画像取得装置及び画像取得プログラムに関する。
【０００２】
近年、省エネモード等の電力の消費を抑えて待機する待機状態から原稿の読み取り準備が完了した準備状態（いわゆる、スタンバイ状態）へ短時間で復帰できる画像読取装置が知られるに至った（例えば、特許文献１）。
この画像読取装置は、画像を読み取るための前処理を行う装置への電力供給を電源部が停止した後に、画像の読取を再開するときになされる所定の操作がされたことを検出するセンサと、所定の操作の検出がなされたときに前処理装置への電力の供給を再開するように電源部を制御する制御手段とを備えることを特徴とする。特に、この画像読取装置が備えるセンサは、コンタクトガラス上の原稿を押さえる圧板の開放、又はコンタクトガラス上に原稿を供給するＡＤＦ（Auto Document Feeder）への原稿のセットを所定の操作として検出することを特徴とする。
【０００３】
【特許文献１】特開２００１−５３９３７号公報
【発明の開示】
【発明が解決しようとする課題】
【０００４】
本発明は、待機状態において消費する電力の増加を抑制すると共に読取原稿の大きさを検知して早期に待機状態から復帰できる画像取得装置及び画像取得プログラムを提供することにある。
【課題を解決するための手段】
【０００５】
本発明に係る画像取得装置は、原稿の大きさを検知する検知手段と、検知手段が検知した大きさの原稿を表す原稿画像を取得する画像取得手段と、検知手段及び画像取得手段へ供給する電力を管理する電源管理手段と、画像取得手段が原稿画像を取得した後の経過時間に基づいて画像取得手段への電源の供給を停止すると共に、検知手段への電源の供給を継続するよう電源管理手段を制御した後に、検知手段が検知した原稿の大きさが変化すると、画像取得手段への電源の供給を開始するよう電源管理手段を制御する制御手段とを備えることを特徴としている。
【０００６】
上記構成において、画像取得手段は、原稿を光学的に読み取ると共に、読み取った原稿を表す原稿画像を取得し、検知手段は、原稿へ光を照射すると共に、原稿が反射する光に基づいて原稿の大きさを検知し、画像取得手段が光学的に読み取る原稿を、光を反射する反射面で覆う覆蓋手段と、覆蓋手段が開閉した開閉角度を検出する角度検出手段とを更に備え、制御手段は、角度検出手段が検出した開閉角度に基づいて覆蓋手段が開いて原稿を覆っていないと判断する場合に、検知手段が検知した原稿の大きさが変化すると、電源の供給が停止された画像取得手段に対して電源の供給を開始するよう電源管理手段を制御する構成を採用できる。
【０００７】
上記構成において、検知手段は、予め定められた範囲に属する原稿の大きさを検知し、原稿を覆う覆蓋手段と、覆蓋手段が開閉する開閉角度を検出する角度検出手段とを備え、制御手段は、画像取得手段へ電源の供給を停止するよう電源管理手段を制御した後であって、検知手段が原稿の大きさを検知する前に角度検出手段が検出した開閉角度が変化すると、画像取得手段への電源の供給を開始するよう電源管理手段を制御すると共に、範囲に属さない予め定められた大きさの原稿画像を取得するよう画像取得手段を制御する構成を採用できる。
【０００８】
上記構成において、原稿を覆う覆蓋手段と、覆蓋手段が開閉する開閉角度を検出する角度検出手段と、原稿の大きさを入力する入力手段とを備え、制御手段は、画像取得手段へ電源の供給を停止するよう電源管理手段を制御した後であって、検知手段が原稿の大きさを検知する前に角度検出手段が検出した開閉角度が変化すると、画像取得手段への電源の供給を開始するよう電源管理手段を制御すると共に、入力手段が入力した大きさの原稿画像を取得するよう画像取得手段を制御する構成を採用できる。
【０００９】
上記構成において、入力手段の操作を促す通知をする通知手段を更に備え、制御手段は、画像取得手段へ電源の供給を停止するよう電源管理手段を制御した後であって、検知手段が原稿の大きさを検知する前に角度検出手段が検出した開閉角度が変化すると、原稿の大きさを検知できない旨の通知、及び原稿の大きさを入力するよう入力手段を操作することを促す旨の通知のいずれか１つ以上をするよう通知手段を制御する構成を採用できる。
【００１０】
上記構成において、検知手段は、第１の方向における原稿の第１の大きさを検知し、画像取得手段は、第１の方向と平行ではない第２の方向にわたる原稿の部分を表す部分画像を取得し、制御手段は、検知手段が検知した第１の大きさが変化した後に電源が供給された画像取得手段の取得した部分画像に基づいて、第２の方向における原稿の大きさを検知すると共に、検知した第２の大きさと、検知手段が検知した第１の大きさとを有する原稿画像を取得するよう画像取得手段を制御する構成を採用できる。
【００１１】
本発明に係る画像取得プログラムは、コンピュータを、原稿の大きさを検知する検知手段から、原稿の大きさを表す信号を取得すると共に、検知手段が検知した大きさの原稿を表す原稿画像を取得する画像取得手段から、原稿画像を表す信号を取得する信号取得手段と、検知手段及び画像取得手段へ供給する電力を管理する電源管理手段を制御する制御手段として機能させ、制御手段は、信号取得手段が画像取得手段から原稿画像を表す信号を取得した後の経過時間に基づいて画像取得手段への電源の供給を停止すると共に、検知手段への電源の供給を継続するよう電源管理手段を制御した後に、信号取得手段が検知手段から取得した信号の表す原稿の大きさが変化すると、画像取得手段への電源の供給を開始するよう電源管理手段を制御することを特徴としている。
【発明の効果】
【００１２】
請求項１の構成によれば、画像取得手段への電源の供給を停止して待機する待機状態において消費する電力の増加を抑制すると共に読取原稿の大きさを検知して早期に待機状態から復帰できる。
【００１３】
請求項２の構成によれば、覆蓋手段が閉じることで光を用いて原稿の大きさを検知できなくなる前に、読取原稿の大きさを検知して待機状態から復帰できる。
【００１４】
請求項３の構成によれば、検知手段が原稿の大きさを検知できない場合であっても、開閉角度の変化に基づいて早期に待機状態から復帰して予め定められた大きさの原稿画像を読み取ることができる。
【００１５】
請求項４の構成によれば、検知手段が原稿の大きさを検知できない場合であっても、開閉角度の変化に基づいて早期に待機状態から復帰して入力された大きさの原稿画像を読み取ることができる。
【００１６】
請求項５の構成によれば、検知手段が原稿の大きさを検知できない場合に、大きさを検知できない旨の通知、及び原稿の大きさを入力するよう入力手段を操作することを促す旨の通知のいずれか１つ以上をすることができる。
【００１７】
請求項６の構成によれば、
第２の方向における原稿の大きさの変化を検知するために用いる画像取得手段の電力消費を抑制すると共に、第１の方向における原稿の大きさの変化を検知して、早期に待機状態から復帰できる
【００１８】
請求項７の構成によれば、画像取得手段への電源の供給を停止して待機する待機状態において消費する電力の増加を抑制すると共に読取原稿の大きさを検知して早期に待機状態から復帰できる。
【発明を実施するための最良の形態】
【００１９】
以下、本発明の最良の実施形態について、添付図面を参照しつつ説明する。
【実施例１】
【００２０】
図１は、本発明の画像取得装置を備える画像取得システム１の一実施形態を示す構成図である。
図１に示す画像取得システム１は、通信網１０、画像取得装置１００、並びに端末装置１９１及び１９２で構成される。
通信網１０は、例えば、ＬＡＮ（Local Area Network ）、ＷＡＮ（Wide Area Network）、ＭＡＮ（Metropolitan Area Network）、又は公衆回線網で構成され、画像取得装置１００と端末装置１９１及び１９２とを通信可能に接続する。
【００２１】
画像取得装置１００について説明する前に、端末装置１９１及び１９２について説明を行う。尚、端末装置１９１及び１９２は、それぞれ同様の構成であるため、主に、端末装置１９１についてのみ説明を行う。
端末装置１９１は、例えば、パーソナル・コンピュータで構成される。端末装置１９１は、通信網１０を介して画像取得装置１００に接続する。端末装置１９１は、画像取得装置１００へ原稿を読み取って原稿を表す原稿画像を取得するよう命じる命令を送信すると共に、画像の取得結果を表す情報を受信する。尚、端末装置１９１は、例えば、液晶ディスプレイ又は有機ＥＬ（Electro-Luminescence）で構成される表示装置に接続し、受信した情報が表す取得結果を表示装置が表示するよう制御する構成を採用できる。
また、端末装置１９１は、例えば、ハードディスク又はフラッシュメモリ等の記憶装置を有し、画像取得装置１００が読み取った原稿を表す原稿画像を画像取得装置１００から受信すると共に、受信した原稿画像を記憶装置に保存する構成を採用できる。
【００２２】
画像取得装置１００は、通信網１０を介して端末装置１９１及び１９２に接続する。画像取得装置１００は、例えば、原稿を光学的に読み取って原稿画像を取得する画像取得機能（つまり、スキャン機能）、及び読み取った画像等を形成する画像形成機能（つまり、プリント機能）を有するコピー機又は複合機で構成される。また、画像取得装置１００は、電力の消費を軽減する省電力機能を有する。よって以下、画像取得装置１００が有する機能に基づいて説明を行う。
【００２３】
先ず、画像取得装置１００が有する画像取得機能について説明を行う。
画像取得装置１００は、画像取得機能を発揮することで、原稿を光学的に読み取ると共に、原稿を表す原稿画像を取得する。尚、画像取得装置１００は、読み取った原稿画像を端末装置１９１が有する記憶装置へ保存する構成を採用できる。
【００２４】
ここで、図２を参照して、画像取得装置１００の構成について、画像取得機能に着目して説明を行う。図２は、画像取得装置１００が画像取得機能を発揮するために用いるハードウェアの一構成例を表す図である。
図２（ａ）は、画像取得装置１００を上面から表した図である。図２（ａ）に示すように、画像取得装置１００は、プラテンガラス１０１、サイズ検知センサ１０２、及びキャリッジ１１３で構成される。
プラテンガラス１０１は、例えば、無色かつ透明色の板状ガラスで構成される。プラテンガラス１０１の上には、読取の対象とする原稿が置かれる。プラテンガラス１０１の下には、検知部１０２及びキャリッジ１１３が設置されている。
【００２５】
検知部１０２は、例えば、反射型センサで構成される。検知部１０２は、プラテンガラス１０１の上に置かれた原稿の大きさを検知すると共に、検知した大きさを表す信号を後述するコントローラに出力する。具体例として、検知部１０２は、例えば、図２（ａ）に示す様に、予め定められた間隔で第１の方向に配列した複数の反射型センサ１０２ａから１０２ｄで構成される。本実施例において、第１の方向は、副走査方向をいうとして説明するが、これに限定されるわけではなく、主走査方向をいう構成を採用できる。検知部１０２を構成するセンサ１０２ａから１０２ｄは、プラテンガラス１０１に対して光を照射すると共に、プラテンガラス１０１の上に置かれた原稿で反射した反射光を受光する。検知部１０２は、反射光を受光したセンサ１０２ａから１０２ｄの位置に基づいて、原稿の第１の大きさを検知する。本実施例において、第１の方向は副走査方向をいうとして説明した。よって、第１の大きさを、以下単に、副走査の幅（又は、副走査サイズ）という。
【００２６】
より具体な例を挙げて説明すると、検知部１０２は、センサ１０２ａが反射光を受光すると共に、センサ１０２ｂから１０２ｄが反射光を受光しない場合には、原稿の副走査サイズがＢ５であると検知する。また、検知部１０２は、センサ１０２ａから１０２ｃが反射光を受光すると共に、センサ１０２ｄが反射光を受光しない場合には、原稿の副走査サイズがＢ４であると検知する。つまり、検知部１０２は、予め定められた範囲に属する原稿の大きさを検知する。具体的には、検知部１０２は、Ｂ５からＢ４の範囲に属する原稿の副走査サイズを検知する。また、センサ１０２ａから１０２ｄのいずれもが反射光を受光しない場合には、検知部１０２は、原稿の副走査サイズＡ５又はＡ５よりも小さいと検知する。同様に、センサ１０２ａから１０２ｄの全てが反射光を受光した場合には、検知部１０２は、原稿の副走査サイズがＡ３又はＡ３よりも大きいと検知する。尚、原稿全体の大きさは、検知部１０２で検知した第１の大きさ（つまり、副走査方向の幅又は副走査サイズ）と、後述する制御部で検知する第１の方向と平行でない第２の方向における原稿の第２の大きさとを用いて、後述する制御部が検知する。本実施例において、第２の方向は主走査方向をいうとして説明するがこれに限定される訳ではない。また、本実施例において、第２の方向は主走査方向をいうとして説明するため、第２の大きさを、以下単に、主走査方向の幅又は主走査サイズという。ここで、主走査サイズは、後述する撮像素子が原稿を撮像した画像を用いて制御部が検知するが、詳細な説明は後に行う。
【００２７】
キャリッジ１１３は、図２（ａ）及び（ｂ）に示す様に、光源１１３ａ（以下、ランプともいう）、反射板１１３ｂ（以下、リフレクタともいう）、第１鏡１１３ｃ（以下、第１ミラーともいう ）を運ぶ台である。尚、図２（ｂ）は、図２（ａ）に示す画像取得装置１００をＢ方向から表す側断面図である。
光源１１３ａは、例えば、冷陰極蛍光ランプ又はＬＥＤ（Light Emitting Diode）で構成される。光源１１３ａは、光を発光する。特に、光源１１３ａは、発光した光をプラテンガラス１０１の上に置かれた原稿及び反射板１１３ｂへ照射する。反射板１１３ｂは、光源１１３ａが発した光の内で、原稿へ照射されなかった光を反射して原稿へ照射する。第１ミラー１１３ｃは、原稿の一部で反射した光を予め定められた方向へ反射する。尚、第１ミラー１１３ｃが反射した光は、固定された第２ミラー１１４ａ及び第３ミラー１１４ｂで反射した後にレンズ１１５で収束させられる。その後、収束した反射光は、例えば、ＣＣＤ（Charge Coupled Device）センサ又はＣＭＯＳ（Complementary Metal Oxide Semiconductor）イメージセンサ等で構成される撮像素子１１６ｂにより受光される。つまり、撮像素子１１６ｂは、光を照射された原稿の部分を撮像することで、光学的な読取の対象とする原稿の第２の方向における部分を表す部分画像を取得する。
【００２８】
ここで、キャリッジ１１３は、不図示のアクチュエータ等のキャリッジモータによって、副走査方向に予め定められた速度でプラテンガラス１０１と略平行に（つまり、原稿と略平行に）移動させられる。よって、光源１１３ａによって光を照射される原稿の部分は、原稿の端部から対向する他の端部へと、副走査方向に予め定められた速度で変化する。つまり、撮像素子１１６ｂが撮像する原稿の部分が変化すると共に、撮像素子１１６ｂが取得する部分画像が表す原稿の部分が変化する。これにより、画像取得装置１００は、原稿の全範囲に光を照射する共に、取得した部分画像を結合して原稿全体を表す原稿画像を取得する。尚、キャリッジ１１３、第２ミラー１１４ａ、第３ミラー１１４ｂ、レンズ１１５、及び撮像素子１１６ｂは、筐体１５０に内蔵され、後述する画像取得部１１０を構成する。
【００２９】
次に、図３を参照して、画像取得装置１００が画像取得機能を発揮するために用いる他のハードウェアについて説明する。図３は、図２に示す画像取得装置１００をＣ方向からから表す側図である。
図３に示す画像取得装置１００は、操作部１０３（以下、操作パネルともいう）、覆蓋部１０６（以下、プラテンカバーともいう）、角度検出棒１０５ａ、角度検出部１０５ｂ（以下単に、角度検出スイッチともいう）、及び開閉検知部１０４ｂ（以下、開閉検知センサともいう）を備える。
操作部１０３は、例えば、液晶パネル又は有機ＥＬパネル等の表示部と、パネルの上に設置されたタッチパネル又はメカニカルスイッチ等の入力部とで構成される。操作部１０３を構成する表示部は、画像取得装置１００を操作するユーザに対して下記各種の情報を表示して通知する。また、操作部１０３を構成する入力部は、画像取得装置１００を操作するユーザに操作されて、下記各種の情報を入力する。
【００３０】
覆蓋部１０６は、光源１１３ａが照射する光を反射する面で、読取対象とする原稿の背面（つまり、読取対象とする面に対向した面）を覆う。覆蓋部１０６は、例えば、ヒンジ等の接続部１０７で開閉可能に筐体１５０と接続する。尚、覆蓋部１０６が原稿を覆う状態を閉じた状態といい、そうでない状態を開いた状態という。また、原稿が置かれるプラテンガラス１０１の面と、原稿を覆う覆蓋部１０６の面との角を、覆蓋部１０６の開閉角度という。具体的には、プラテンガラス１０１の面と覆蓋部１０６の面とが略一致した覆蓋部１０６の閉じた状態において、覆蓋部１０６の開閉角度は０度であるとする。尚、覆蓋部１０６は、磁石１０４ａを有する。
【００３１】
角度検出棒１０５ａは、筐体１５０から突出している。角度検出棒１０５ａは、覆蓋部１０６の開閉角度が減少すると、覆蓋部１０６によって筐体１５０の内部に押し込まれる。つまり、覆蓋部１０６の開閉角度が予め定められた角度を下回ると、筐体１５０に没入した角度検出棒１０５ａは、例えば、スイッチで構成される角度検出部１５０ｂをＯＮ（又はＯＦＦ）に切り替える。その後、角度検出部１５０ｂは、予め定められた開閉角度を下回ることを表す信号の中継を開始（又は中断）する。
開閉検知部１０４ｂは、例えば、磁気センサで構成される。開閉検知部１０４ｂは、覆蓋部１０６が開閉した場合における覆蓋部１０６が有する磁石１０４ａによる磁界の変化を検出することで、覆蓋部１０６の開閉を検知する。
【００３２】
ここで、図４を参照して、画像取得装置１００を構成するハードウェアについて詳細に説明する。図４は、画像取得装置１００の一構成例を詳細に表すハードウェア構成図である。
図４に示す画像取得装置１００は、電源管理部１２０、画像形成部１３０、及びコントローラ１４０、並びに図２で説明した検知部１０２及び画像取得部１１０、並びに図３で説明した操作パネル１０３、開閉検知部１０４ｂ、及び角度検出部１０５ｂで構成される。尚、既に説明した検知部１０２、操作パネル１０３、開閉検知部１０４ｂ、角度検出部１０５ｂ、及び画像取得部１１０については、重複した説明を省略する。
【００３３】
電源管理部１２０は、例えば、ハードウェア回路で構成され、コントローラ１４０を含む画像取得装置１００を構成する各部に接続する。電源管理部１２０は、コントローラ１４０に制御されて、画像取得装置１００を構成する他の各部へ供給する電力を管理する。つまり、電源管理部１２０は、省電力機能を発揮する。具体例としては、画像取得装置１００が通常状態（つまり、スタンバイ状態）にある場合に、電源管理部１２０は、電源ＩＣ（Integrated Circuit）が生成した電源を、画像取得装置１００を構成する各部へ中継する。一方で、画像取得装置１００が待機状態（つまり、省電力モード）にある場合に、電源管理部１２０は、検知部１０２、操作パネル１０３、角度検出部１０５ｂ、電源管理部１２０、及びコントローラ１４０へ電源を供給するが、開閉検知部１０４ｂ、画像取得部１１０、及び画像形成部１３０へ電源供給を停止する。尚、待機状態とは、電力の消費を抑制して待機する状態をいう。具体的には、待機状態は、コントローラ１４０が電力の消費を抑制する管理を行うよう電源管理部１２０を制御する状態をいう。ここで、画像取得部１１０が原稿画像を取得した後に予め定められた時間を経過すると、コントローラ１４０は、画像取得部１１０への電源の供給を停止すると共に、検知部１０２への電源の供給を継続するよう電源管理部１２０を制御するため、画像取得装置１００が待機状態へ移行する。尚、待機状態において、電源管理部１２０は、画像取得部１１０を構成する光源１１３ａ（ランプ）、キャリッジ１１３を移動させるキャリッジモータ１１３ｅ、撮像素子１１６ｂを制御する基板１１６ａ（以下、ＣＣＤ基板ともいう）、及び操作パネル１０３等の消費電力が大きい部品の電源をＯＦＦにする。
【００３４】
画像形成部１３０は、例えば、ＩＯＴ（Image Output Terminal）で構成される。画像形成部１３０は、コントローラ１４０に接続する。画像形成部１３０は、コントローラ１４０に制御されて、画像取得部１１０が取得した原稿画像又は画像取得装置１００が端末装置１９１から受信した画像を印刷媒体に画像を印刷して形成する。尚、印刷媒体は、例えば、印刷用紙、プラスティックカード、布、及び木板を含む。つまり、画像形成部１３０は、画像形成機能を発揮する。
【００３５】
コントローラ１４０について説明する前に、再度、画像取得部１１０について説明する。画像取得部１１０は、コントローラ１４０に接続する。画像取得部１１０は、コントローラ１４０に制御されて、画像取得処理を実行することで、検知部１０２が検知した大きさの原稿を表す原稿画像を取得する。
コントローラ１４０は、例えば、マイクロコンピュータで構成される。コントローラ１４０は、検知部１０２、操作パネル１０３、開閉検知部１０４ｂ、角度検出部１０５ｂ、画像取得部１１０、電源管理部１２０、及び画像形成部１３０に接続する。コントローラ１４０は、ソフトウェア処理を実行することで、検知部１０２、操作パネル１０３、開閉検知部１０４ｂ、及び角度検出部１０５ｂが入力する信号に基づいて、画像取得部１１０、電源管理部１２０、及び画像形成部１３０を制御する。
【００３６】
次に、図４（ｂ）を参照して、コントローラ１４０の構成について説明する。図４（ｂ）は、コントローラ１４０の一構成例を表すハードウェア構成図である。
コントローラ１４０は、例えば、ＣＰＵ（Central Processing Unit）で構成される実行部１４０ａ、ＥＰＲＯＭ（Erasable Programmable Read-Only Memory）又はＥＥＰＲＯＭ（Electrically Erasable Programmable Read-Only Memory）等で構成される読出専用記憶装置１４０ｂ、ＤＲＡＭ（Dynamic  RAM）又はＳＲＡＭ（Static  RAM）等の揮発性メモリ及びＮＶＲＡＭ（Non Volatile RAM）等の不揮発性メモリで構成される読書可能記憶装置１４０ｃ、及び入出力回路で構成される入出力部１４０ｄで構成され、実行部１４０ａ、読出専用記憶装置１４０ｂ、読書可能記憶装置１４０ｃ、及び入出力部１４０ｄは互いにバスによって接続している。
【００３７】
ソフトウェア処理は、実行部１４０ａが、読出専用記憶装置１４０ｂに格納したプログラムを読み込み、読み込んだプログラムに従って演算を実行することにより実現される。尚、読書可能記憶装置１４０ｃには、演算結果のデータが書き込まれ、特にＮＶＲＡＭには、電源オフする場合にバックアップが必要なデータが保存される。また、演算結果は、入出力部１４０ｄを介してコントローラ１４０と接続する各部との間で入出力される。
【００３８】
次に、図５を参照して、コントローラ１４０の構成について、機能に着目して説明する。図５は、コントローラ１４０の一構成例を表す機能ブロック図である。
図５に示すコントローラ１４０は、信号取得部１４１及び制御部１４２で構成される。
信号取得部１４１は、実行部１４０ａが信号取得処理を実行することで実現される。信号取得部１４１は、原稿サイズを検知する検知部１０２、操作パネル１０３、開閉検知部１０４ｂ、角度検出部１０５ｂ、画像取得部１１０、及び制御部１４２に接続する。信号取得部１４１は、検知部１０２、開閉検知部１０４ｂ、及び角度検出部１０５ｂから原稿の大きさを表す信号、覆蓋部１０６の開閉を表す信号、及び開閉角度を表す信号を取得する。また、信号取得部１４１は、操作パネル１０３を構成する入力部から原稿の大きさを表す信号を取得する。更に、信号取得部１４１は、画像取得部１１０から原稿画像を表す信号を取得する。その後、信号取得部１４１は、取得した信号を制御部１４２へ出力する。
【００３９】
制御部１４２は、実行部１４０ａが制御処理を実行することで実現される。制御部１４２は、操作パネル１０３、画像取得部１１０、電源管理部１２０、画像形成部１３０、及び信号取得部１４１に接続する。制御部１４２は、信号取得部１４１から取得した信号が表す大きさの原稿画像を取得するよう画像取得部１１０を制御する。また、制御部１４２は、信号取得部１４１から取得した信号が表す原稿画像を印刷するよう画像形成部１３０を制御する。
【００４０】
更に、制御部１４２は、画像取得部１１０が原稿画像を取得した後の経過時間に基づいて画像取得部１１０への電源の供給を停止すると共に、検知部１０２への電源の供給を継続するよう電源管理部１１３を制御した後に、検知部１０２が検知した原稿の大きさが変化すると、画像取得部１１０への電源の供給を開始するよう電源管理部１２０を制御する。具体的には、制御部１４２は、予め定めた時間が経過すると画像取得装置１００を待機状態へ移行させる処理を実行する。
【００４１】
ここで、画像取得装置１００が待機状態にある場合に、制御部１４２が、検知部１０２への電源供給を停止するよう電源管理部１１３を制御し、かつ、例えば、開閉検知部１０４ｂ又は角度検知部１０５ｂから取得した信号から覆蓋部１０６が閉じた（又は閉じかけている）ことを検出した後に、検知部１０２への電源供給を開始するよう制御するのではなく、待機状態にある場合にも検知部１０２への電源の供給を継続するよう制御する理由について説明する。
覆蓋部１０６の背面は、画像取得部１１０が照射する光を反射する。よって、覆蓋部１０６の背面は、画像取得部１１０のみならず検知部１０２が照射する光をも反射する。このため、検知部１０２は、覆蓋部１０６が閉じて原稿を覆う前に、原稿の大きさを検出する必要がある。よって、制御部１４２は、画像取得装置１００が待機状態にある場合にも、継続して電源を供給するよう電源管理部１１３を制御する。
【００４２】
また、制御部１４２は、画像取得部１１０へ電源の供給を停止するよう電源管理部１２０を制御した後であって、検知部１０２が原稿の大きさを検知する前に角度検出部１０５ｂが検出した開閉角度が変化すると、画像取得部１１０への電源の供給を開始するよう電源管理部１２０を制御すると共に、検出部１０２が検出可能な範囲に属さない予め定められた大きさの原稿画像を取得するよう画像取得部１１０を制御する。本実施例において、検出部１０２が検出可能な範囲に属さない予め定められた大きさは、例えば、Ａ５サイズ又はＡ３サイズをいうとして説明を行うが、これに限定される訳ではない。例えば、はがきサイズである構成を採用できる。
つまり、ユーザがＡ５サイズの原稿をプラテンガラス１０１にセットした場合には、検出部１０２が原稿サイズを検出しないため、検出部１０２が出力する信号が変化しない。また、Ａ５サイズの原稿をプラテンガラス１０１にセットした後に、覆蓋部１０６をユーザが閉じた場合には、検知部１０２が原稿の大きさを検知する前に角度検出部１０５ｂが検出した開閉角度が変化するため、予め定められたＡ５サイズの原稿画像を取得するよう画像取得部１１０を制御する。
【００４３】
更に、制御部１４２は、画像取得部１１０へ電源の供給を停止するよう電源管理部１２０を制御した後であって、検知部１０２が原稿の大きさを検知する前に角度検出部１０５ｂが検出した開閉角度が変化すると、画像取得部１１０への電源の供給を開始するよう電源管理部１２０を制御すると共に、操作パネル１０３を構成する入力部１０３が入力した大きさの原稿画像を取得するよう画像取得部１１０を制御する構成を採用できる。
特に、制御部１４２は、画像取得部１１０へ電源の供給を停止するよう電源管理部１２０を制御した後であって、検知部１０２が原稿の大きさを検知する前に角度検出部１０５ｂが検出した開閉角度が変化すると、原稿の大きさを検知できない旨の通知、及び原稿の大きさを入力するよう操作パネル１０３を構成する入力部を操作することを促す旨の通知のいずれか１つ以上をするよう通知部を制御する。尚、通知部は、操作パネル１０３を構成する表示部又は音声出力部等で構成される。また、通知部は、操作パネル１０３を構成する入力部の操作を促す通知を表示又は音声出力により行う。
【００４４】
ここで、図６及び７を参照して、制御部１４２が実行する制御処理について説明を行う。図６は、制御部１４２が実行する制御処理の一例を表すフローチャートの一部であり、図７は、制御部１４２が実行する制御処理の一例を表すフローチャートの他部である。
先ず、制御部１４２は、画像取得処理の実行の終了（以下、スキャンジョブの終了とも図示する）を表す信号を信号取得部１４１を介して画像取得部１１０から取得する（ステップＳ０１）。次に、制御部１４２は、待機状態に移行するか否かを判断する。具体的には、制御部１４２は、所定時間が経過した否かを判断する（ステップＳ０２）。制御部１４２は、所定時間が経過したと判断した場合には、ステップＳ０３の処理を実行し、そうで無い場合にはステップＳ０２の処理を再度繰り返す。
【００４５】
ステップＳ０２において、所定時間が経過したと判断した場合には、制御部１４２は、待機状態（つまり、省電力モード）に移行する（ステップＳ０３）。具体的には、制御部１４２は、画像取得部１１０への電源の供給を停止すると共に、検知部１０２への電源の供給を継続するよう電源管理部１１３を制御する。次に、制御部１４２は、覆蓋部１０６が所定角度まで閉じているか否かを判断する（ステップＳ０４）。具体的には、制御部１４２は、角度検知部１０５ｂが出力する信号に基づいて覆蓋部１０６が所定角度まで閉じているか否かを判断する。制御部１４２は、覆蓋部１０６が所定角度まで閉じていると判断する場合にはステップＳ０５の処理を、そうで無い場合にはステップＳ０６の処理を実行する。
【００４６】
ステップＳ０４において、覆蓋部１０６が所定角度まで閉じてると判断した場合には、制御部１４２は、覆蓋部１０６が所定角度まで開いたか否かを判断する（ステップＳ０５）。制御部１４２は、覆蓋部１０６が所定角度まで開いたと判断した場合にはステップＳ０８の処理を実行し、そうで無い場合にはステップＳ０５の処理を繰り返す。
【００４７】
ステップＳ０４において、覆蓋部１０６が所定角度まで閉じていないと判断した場合には、制御部１４２は、検知部１０２が検知した原稿サイズが変化したか否かを判断する（ステップＳ０６）。制御部１４２は、原稿サイズが変化したと判断した場合にはステップＳ０８の処理を、そうで無い場合にはステップＳ０７の処理を実行する。
ステップＳ０６において、原稿サイズが変化しないと判断した場合には、覆蓋部１０６が所定角度まで閉じたか否かを判断する（ステップＳ０７）。制御部１４２は、覆蓋部１０６が所定角度まで閉じたと判断した場合にはステップＳ１４の処理を実行し、そうで無い場合にはステップＳ０６の処理を繰り返す。
【００４８】
ステップＳ０５において、覆蓋部１０６が所定角度まで開いたと判断した場合、又はステップＳ０６において、検知した原稿サイズが変化したと判断した場合には、制御部１４２は、待機状態（省エネモード）から通常状態（スタンバイモード）へ復帰する（つまり、省エネモードを解除する）（ステップＳ０８）。具体的には、制御部１４２は、電源供給を停止していた画像取得部１１０等への電源供給を開始するよう電源管理部１２０を制御する。次に、制御部１４２は、初期化処理を実行する（ステップＳ０９）。尚、初期化処理は、撮像素子１１６ｂの出力信号のゲイン及びオフセットコントロール又はシェーディングデータの採取等を行うと共に、採取したデータに基づいて画像を読み取ることができる状態であるスタンバイ状態に画像取得部１１０を復帰させる処理をいう。尚、この初期化処理に要する時間は、通常、覆蓋部１０６が閉まるまでに要する時間よりも長い。このため、本実施例に係る制御部１４２は、覆蓋部１０６が閉じかけていることを検出した後に、検知部１０２への電源供給を開始するよう制御すると共に、初期化処理を実行するのではない。制御部１４２は、待機状態にある場合にも検知部１０２への電源の供給を継続するよう制御すると共に、覆蓋部１０６が所定角度まで開いたと判断した場合、又は原稿サイズが変化したと判断した場合に初期化処理を実行する。
【００４９】
次に、制御部１４２は、覆蓋部１０６が所定角度まで閉じたか否かを判断する（ステップＳ１０）。制御部１４２は、覆蓋部１０６が所定角度まで閉じたと判断する場合にはステップＳ１１の処理を実行し、そうで無い場合にはステップＳ１０の処理を繰り返し実行する。
ステップＳ１０において、制御部１４２は、覆蓋部１０６が所定角度まで閉じたと判断する場合には、検知部１０２で原稿の副走査方向の大きさ（つまり、副走査サイズ）を検知する（ステップＳ１１）。次に、制御部１４２は、撮像素子１１６ｂで原稿の主走査方向の大きさ（つまり、主走査サイズ）を検知する（ステップＳ１２）。具体例としては、想定する最小サイズの原稿を読み取れる位置（いわゆる、ホームポジション）に固定した撮像素子１１６ｂが撮像した画像が、原稿の部分を表す画像が無くなる位置に基づいて、制御部１４２は、原稿の主走査方向の大きさを検知する。より具体的な例としては、キャリッジ１１３が原稿の置かれた部分を超えて光を照射し、撮像素子１１６ｂが原稿からの反射光を受光せず黒色の画像を取得するまでの画素数を制御部１４２は、原稿の主走査方向の大きさをとして検知する。その後、制御部１４２は、検出した主走査サイズ及び副走査サイズに基づいて原稿全体の大きさ（以下単に、原稿サイズともいう）を算出して検知する（ステップＳ１３）。尚、図示を省略するが、次に、制御部１４２は、検知した原稿サイズの原稿画像を取得するよう画像取得部１１０を制御する。その後、制御部１４２は、制御処理の実行を終了する。
【００５０】
ステップＳ０７において、覆蓋部１０６が所定角度まで閉じたと判断した場合、制御部１４２は、ステップＳ１４及びＳ１５の処理を実行する（ステップＳ１４及びＳ１５）。ステップＳ１４及びＳ１５の処理は、ステップＳ０８及びＳ０９の処理と同様であるので説明を省略する。次に、制御部１４２は、検知部１０２を構成するセンサが全てＯＦＦである（つまり、どのセンサも原稿での反射光を受光しない）原稿サイズを算出する（ステップＳ１６）。本実施例において、センサが全てＯＦＦである原稿サイズは、Ａ５であるとして説明したが、これに限定される訳ではない。尚、図示を省略するが、次に、制御部１４２は、算出した原稿サイズの原稿画像を取得するよう画像取得部１１０を制御する。その後、制御部１４２は、制御処理の実行を終了する。
【００５１】
本実施例において、検出部１０２が検知手段に相当し、操作パネル１０３を構成する入力部が入力手段に相当し、操作パネル１０３を構成する通知部が通知手段に相当し、角度検出部１０５ｂが角度検出手段に相当し、覆蓋部１０６が覆蓋手段に相当し、画像取得部１１０が画像取得手段に相当し、電源管理部１２０が電源管理手段に相当し、信号取得部１４１が信号取得手段に相当し、制御部１４２が制御手段に相当し、コントローラ１４０が実行するソフトウェア処理を表すプログラムが画像取得プログラムに相当する。
【００５２】
コントローラ１４０が実行するプログラムは、磁気ディスクや光ディスク、半導体メモリ、その他の記録媒体に格納して配布したり、ネットワークを介して配信したりすることにより提供できる。
更に、画像取得装置１００がソフトウェア処理を実行することで実現する機能の一部又は全部は、ハードウェア回路を用いて実現することができる。逆に、画像取得装置１００がハードウェア回路を用いて実現する機能の一部又は全部は、ソフトウェア処理を実行することで実現することができる。
【００５３】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００５４】
【図１】本発明の画像取得装置を備える画像取得システムの一実施形態を示す構成図である。
【図２】画像取得装置が画像読取機能を発揮するために用いるハードウェアの一構成例を表す図である。
【図３】図２に示す画像取得装置をＣ方向からから表す側図である。
【図４】画像取得装置の一構成例を詳細に表すハードウェア構成図である。
【図５】コントローラの一構成例を表す機能ブロック図である。
【図６】制御部が実行する制御処理の一例を表すフローチャートの一部である。
【図７】制御部が実行する制御処理の一例を表すフローチャートの他部である。
【符号の説明】
【００５５】
１…画像読取システム                  １０…通信網                          
１００…画像取得装置                １０１…プラテンガラス                  
１０２…検知部(サイズ検知センサ)(検知手段）
１０２ａ、１０２ｂ、１０２ｃ、１０２ｄ…センサ
１０３…操作パネル（入力手段）        １０４ａ…磁石                        
１０４ｂ…開閉検知部（開閉検知手段）  
１０５ａ…角度検出棒                  
１０５ｂ…角度検出部（角度検出手段）  
１０６…プラテンカバー                １０７…ヒンジ                        
１１０…画像取得部（画像取得手段）    １１３…キャリッジ                    
１１３ａ…光源（ランプ）              １１３ｂ…反射板（リフレクタ）        
１１３ｃ…第１ミラー                  １１３ｅ…キャリッジモータ            
１１４ａ…第２ミラー                  １１４ｂ…第３ミラー                  
１１５…レンズ                        １１６ａ…ＣＣＤ基板                  
１１６ｂ…ＣＣＤセンサ                １２０…電源管理部                    
１３０…画像形成部                    １４０…コントローラ                  
１４０ａ…ＣＰＵ                      １４０ｂ…ＲＯＭ                      
１４０ｃ…ＲＡＭ                      １４０ｅ…Ｉ／Ｆ                      
１４０ｆ…バス                        １４１…信号取得部                    
１４２…制御部（制御手段）            １５０…筐体                          
１９１…端末装置                      １９２…端末装置                      
【図１】
2010124372.tif 000003
【図２】
2010124372.tif 000004
【図３】
2010124372.tif 000005
【図４】
2010124372.tif 000006
【図５】
2010124372.tif 000007
【図６】
2010124372.tif 000008
【図７】
2010124372.tif 000009